(57)【要約】【課題】固体撮像素子の回路基板に接続される信号ケーブルの断線や接続箇所の剥離を確実に防止する。【解決手段】内視鏡の挿入部を構成する先端部１３ａには、ＣＣＤ３８、及びこのＣＣＤ３８が接続される回路基板４１が設けられる。回路基板４１には、多芯ケーブル２８を構成する同軸ケーブル４６が接続される。同軸ケーブル４６から信号線５０及び編組線５２が引き出され、信号線５０を編組線５２に対して弛ませた状態で、回路基板４１の入出力端子４４にハンダ付けする。編組線５２は一本にまとめられ、アース端子４５にハンダ付けされる。さらに、回路基板４１のうち入出力端子４４とアース端子４５のすべてを含む端子部分、及び多芯ケーブル２８のうち少なくとも信号線５０及び編組線５２がむき出しになっている部分を、接着剤６０によって固定（一体化）する。【選択図】図５
2010068930.tif 000002
【特許請求の範囲】
【請求項１】
固体撮像素子が電気的に接続され、複数の端子を備えている回路基板と、
中央に配された信号線及びこの信号線の回りに絶縁体を介して配されたグランド線からなり、前記端子に前記信号線及び前記グランド線がそれぞれ接続される複数の同軸ケーブルとを備え、
前記信号線は、前記グランド線よりも長く同軸ケーブルから引き出されて、前記グランド線よりも弛ませた状態で前記端子に接続されており、
少なくとも前記回路基板のうち前記端子部分、及び前記同軸ケーブルのうち前記信号線及び前記グランド線がむき出しになっている素線部分が、接着剤によって一体に固定されていることを特徴とする撮像装置。
【請求項２】
少なくとも前記端子部分、及び前記素線部分を覆う枠体をさらに備え、
前記枠体の内部に前記接着剤を供給することにより、前記枠体及びその内部に収められた各部材を一体に固定することを特徴とする請求項１記載の撮像装置。
【請求項３】
前記接着剤は、少なくとも前記端子部分、及び前記素線部分を覆い、前記接着剤の硬化後に取り外される接着剤受け治具の内部に供給され、前記接着剤受け治具の内部に収められた各部材を一体に固定することを特徴とする請求項１記載の撮像装置。
【請求項４】
前記接着剤は紫外線硬化型であることを特徴とする請求項１ないし３いずれか記載の撮像装置。
【請求項５】
前記接着剤はアクリル系またはエポキシ系樹脂であることを特徴とする請求項１ないし４いずれか記載の撮像装置。
【請求項６】
被検体内に挿入される挿入部と、
前記挿入部の先端に設けられた固体撮像素子が電気的に接続され、複数の端子が設けられている回路基板と、
前記挿入部の内部に挿設され、中央に配された信号線及びこの信号線の回りに絶縁体を介して配されたグランド線からなり、前記端子に前記信号線及び前記グランド線がそれぞれ接続される複数の同軸ケーブルとを備え、
前記信号線は、前記グランド線よりも長く同軸ケーブルから引き出されて、前記グランド線よりも弛ませた状態で前記端子に接続されており、
少なくとも前記回路基板のうち前記端子部分、及び前記同軸ケーブルのうち前記信号線及び前記グランド線がむき出しになっている素線部分が、接着剤によって一体に固定されていることを特徴とする内視鏡。
【発明の詳細な説明】
【技術分野】
【０００１】
本発明は、固体撮像素子の回路基板に接続された信号ケーブルで信号の送受信を行う撮像装置、及び挿入部の先端に固体撮像素子を備える内視鏡に関するものである。
【背景技術】
【０００２】
内視鏡は、被検体内に挿入される挿入部と、この挿入部に連設される操作部を有する。挿入部は、先端から順に、先端部、湾曲部、及び可撓管部を有する。先端部には、観察窓、照明窓、鉗子出口、送気・送水口等が設けられている。湾曲部は、操作部に設けたアングルノブを回転操作することで上下左右方向のいずれにも湾曲する。これにより、被検体内への挿入性をスムーズにし、また、先端部を被検体内の所望の方向に向けることができる。
【０００３】
先端部には、観察窓を通して被検体内を撮像するための固体撮像素子が内蔵されており、この固体撮像素子の回路基板に接続された信号ケーブルが挿入部の中に配されている。挿入部にはその他に、湾曲部を湾曲させるためのアングルワイヤーや、照明窓へ光源装置からの照明光を導くライトガイド等が配されている。
【０００４】
固体撮像素子の回路基板に接続される信号ケーブルとしては、複数の同軸ケーブルを束ねた多芯ケーブルが用いられる。同軸ケーブルは、中心に位置する芯線（信号線）と、この芯線を覆う絶縁体と、絶縁体の上を覆う編組線と、編組線を覆う外皮とからなる。同軸ケーブルは、芯線と編組線が、回路基板の電極（端子）にそれぞれハンダ接続される。芯線は固体撮像素子とプロセッサ装置との間で電気信号の送受信を行う信号線として、編組線はプロセッサ装置のアースに接地されるグランド線として使用される（特許文献１）。
【特許文献１】特開２００１−０９５７５８号公報
【発明の開示】
【発明が解決しようとする課題】
【０００５】
内視鏡の湾曲部は、被検体内に挿入されて種々の形状に曲げられるため、挿入部の内容物は、その曲げに応じて挿入部の径方向、長手方向に移動する。このため、上記多芯ケーブルには曲げや引っ張りの力が加わる。この力が、回路基板の電極とケーブルとのハンダ付けによる接続箇所近傍に伝わることにより、ケーブルの断線やハンダ付け箇所の剥離等が生じるおそれがある。
【０００６】
上記断線等の問題は、同軸ケーブルを束ねた多芯ケーブルを固体撮像素子との接続に用いた場合、グランド線として使用される編組線よりも、信号線として用いられる芯線について特に問題となっていた。グランド線として使用される編組線は、同軸ケーブルの外皮を剥がして引き出され、網の状態から太い一本の線にまとめた状態にして電極に接続される。このため、グランド線は比較的高い強度を有し、かつ電極との接合面も広くとれるので接合強度も比較的高い。これに対して、芯線は単線であるため、強度が弱く、接合面積も小さい。したがって、同軸ケーブルに負荷が加わった場合、芯線が断線する、もしくは芯線をハンダ付けしている箇所が剥離する可能性が高い。上記特許文献１では、この問題について論じておらず、その対策も当然ながら講じていない。
【０００７】
本発明は、上記課題を鑑みてなされたものであり、回路基板に接続される信号ケーブルの断線や接続箇所の剥離を確実に防止する撮像装置、及びこの撮像装置を用いる内視鏡を提供することを目的とする。
【課題を解決するための手段】
【０００８】
上記目的を達成するために、本発明の撮像装置は、固体撮像素子が電気的に接続され、複数の端子を備えている回路基板と、中央に配された信号線及びこの信号線の回りに絶縁体を介して配されたグランド線からなり、前記端子に前記信号線及び前記グランド線がそれぞれ接続される複数の同軸ケーブルとを備える。前記信号線は、前記グランド線よりも長く同軸ケーブルから引き出されて、前記グランド線よりも弛ませた状態で前記端子に接続されている。少なくとも前記回路基板のうち前記端子部分、及び前記同軸ケーブルのうち前記信号線及び前記グランド線がむき出しになっている素線部分が、接着剤によって一体に固定されている。
【０００９】
少なくとも前記端子部分、及び前記素線部分を覆う枠体をさらに備えることが好ましい。前記枠体の内部に前記接着剤を供給することにより、前記枠体及びその内部に収められた各部材を一体に固定する。
【００１０】
前記接着剤は、接着剤受け治具の内部に供給され、前記接着剤受け治具の内部に収められた各部材を一体に固定する。前記接着剤受け治具は、少なくとも前記端子部分、及び前記素線部分を覆い、前記接着剤の硬化後に取り外される。
【００１１】
前記接着剤は紫外線硬化型であることが好ましい。また、前記接着剤はアクリル系またはエポキシ系樹脂であることが好ましい。
【００１２】
本発明の内視鏡は、被検体内に挿入される挿入部と、前記挿入部の先端に設けられた固体撮像素子が電気的に接続され、複数の端子が設けられている回路基板と、前記挿入部の内部に挿設され、中央に配された信号線及びこの信号線の回りに絶縁体を介して配されたグランド線からなり、前記端子に前記信号線及び前記グランド線がそれぞれ接続される複数の同軸ケーブルとを備える。前記信号線は、前記グランド線よりも長く同軸ケーブルから引き出されて、前記グランド線よりも弛ませた状態で前記端子に接続されている。少なくとも前記回路基板のうち前記端子部分、及び前記同軸ケーブルのうち前記信号線及び前記グランド線がむき出しになっている素線部分が、接着剤によって一体に固定されている。
【発明の効果】
【００１３】
本発明によれば、同軸ケーブルの信号線をグランド線よりも長く引き出して、固体撮像素子の回路基板に設けられた複数の端子に、信号線をグランド線よりも弛ませた状態で接続し、且つ少なくとも回路基板の端子部分、及び同軸ケーブルのうち信号線及び前記グランド線がむき出しになっている素線部分を接着剤により一体化するので、回路基板に接続される信号線の断線や接続箇所の剥離を確実に防止することができる。
【発明を実施するための最良の形態】
【００１４】
図１に示すように、内視鏡システム２は、電子内視鏡１０、プロセッサ装置１１、及び光源装置１２等から構成されている。電子内視鏡１０は、被検体内に挿入される挿入部１３と、挿入部１３の基端部分に連設された操作部１４と、プロセッサ装置１１や光源装置１２に接続されるユニバーサルコード１５とを備えている。
【００１５】
ユニバーサルコード１５の先端には、コネクタ１６が取り付けられている。コネクタ１６は複合タイプのコネクタであり、プロセッサ装置１１、及び光源装置１２がそれぞれ接続されている。
【００１６】
プロセッサ装置１１は、被検体内撮影用の固体撮像素子であるＣＣＤ３８（図４参照）からユニバーサルコード１５及びコネクタ１６を介して入力された撮像信号に各種画像処理を施して、映像信号に変換するとともに、ＣＣＤ３８の駆動を制御する駆動制御信号を送信する。プロセッサ装置１１で変換された映像信号は、プロセッサ装置１１にケーブル接続されたモニタ１７に内視鏡画像として表示される。また、プロセッサ装置１１は、光源装置１２と電気的に接続しており、内視鏡システム２全体の動作を統括的に制御する。
【００１７】
挿入部１３は、先端から順に、先端部１３ａ、湾曲部１３ｂ、及び可撓管部１３ｃで構成されている。先端部１３ａは、硬質な金属材料等で形成され、ＣＣＤ３８等が内蔵される。また、可撓管部１３ｃは、操作部１４と湾曲部１３ｂとの間を細径で長尺状に繋ぐ部分であり、可撓性を有している。
【００１８】
図２において、可撓管部１３ｃは、内側より順に可撓性を保ちながら内部を保護するフレックスと呼ばれる螺管２１と、この螺管２１の上に被覆され、螺管２１の伸張を防止するブレードと呼ばれるネット２２と、このネット２２上に樹脂を被着した外層２３との３層で構成されている。可撓管部１３ｃの内部には、照明光を導くためのライトガイド２４、２５、鉗子チャンネル２６、送気・送水チャンネル２７、多芯ケーブル２８、アングルワイヤー２９等の複数本の内容物を遊挿した構成になっている。
【００１９】
４本のアングルワイヤー２９は、先端部１３ａに固定されるとともに、密着コイルパイプ２９ａの中に挿通され、操作部１４に設けられたアングルノブ１８（図１参照）の操作に連動して密着コイルパイプ２９ａの内部で押し引きされる。湾曲部１３ｂは、複数の湾曲駒を連結して構成され、アングルワイヤー２９の移動に連動して上下左右方向に湾曲動作する。これにより、先端部１３ａが体腔内の所望の方向に向けられ、体腔内の被観察部位をＣＣＤ３８で撮像することができる。
【００２０】
図３及び図４において、先端部１３ａの端面には、観察窓３１、照明窓３２、３３、鉗子出口３４、及び送気・送水ノズル３５が設けられている。観察窓３１の奥には、体腔内の像光を取り込むための対物光学系３６が配設されている。対物光学系３６を経由した観察部位の像光は、プリズム３７に入射してプリズム３７の内部で屈曲することでＣＣＤ３８の撮像面３８ａに結像する。プリズム３７は、後述するカバーガラス４０に接続されている。
【００２１】
照明窓３２、３３には、ライトガイド２４、２５の出射端が面している。ライトガイド２４、２５は、多数の光ファイバー（例えば、石英からなる）を束ねて形成されたものである。ライトガイド２４、２５は、挿入部１３、操作部１４、ユニバーサルコード１５、及びコネクタ１６の内部を通っており、コネクタ１６が光源装置１２に接続されたとき、光源装置１２から発する照明光を、照明窓３２、３３へ導いて体腔内の被観察部位に照射させる。
【００２２】
送気・送水ノズル３５は、送気・送水チャンネル２７に連結されており、操作部１４に設けられた送気・送水ボタン１９（図１参照）を操作することによって、光源装置１２に内蔵の送気・送水装置（図示せず）から供給されるエアー及び洗浄水を観察窓３１へ噴射する。鉗子出口３４は、鉗子チャンネル２６に連通している。操作部１４に設けられた鉗子口２０（図１参照）から鉗子チャンネル２６へ、被観察部位への処置を施す各種処置具が挿入される。
【００２３】
ＣＣＤ３８は、例えばインターライン型のＣＣＤからなり、撮像面３８ａが表面に設けられたベアチップが用いられる。撮像面３８ａ上には、四角枠状のスペーサ３９を介して矩形板状のカバーガラス４０が取り付けられている。
【００２４】
図５にも示すように、ＣＣＤ３８の後端面には、ＣＣＤ３８と略同等の厚さをもつ回路基板４１が接着されている。ＣＣＤ３８の、挿入部１３の後端側の辺縁部３８ｂには、端子４２が集中配置されている。一方、回路基板４１には、辺縁部３８ｂに対向する挿入部１３の先端側の辺縁部４１ａに、端子４３が集中して配置されている。端子４２と端子４３とは、ボンディングワイヤ等により電気的に接続されている。これら対物光学系３６、ＣＣＤ３８、及び回路基板４１等によって、本発明の撮像装置が構成される。
【００２５】
また、回路基板４１の端子４３の後端側には、後述する信号線５０及び編組線５２がそれぞれ半田付けされる入出力端子４４及びアース端子４５が設けられている。図では、入出力端子４４及びアース端子４５を判別しやすいようにアース端子４５にハッチングを施している。入出力端子４４及びアース端子４５は、挿入部１３の管軸の方向（軸方向）と直交する径方向に沿って一列に配列されている。入出力端子４４及びアース端子４５には、多芯ケーブル２８が接続されている。
【００２６】
多芯ケーブル２８は、複数の同軸ケーブル４６を束ね、この束ねた同軸ケーブル４６の上を外皮４７が覆っている（図２も参照）。多芯ケーブル２８は、回路基板４１近傍の一端側で外皮４７が除去され、複数の同軸ケーブル４６を露呈している。
【００２７】
図６において、各同軸ケーブル４６は、信号線５０と、この信号線５０を被覆する絶縁体５１、絶縁体５１を介して信号線５０を覆う編組線（グランド線）５２、編組線５２のさらに上を覆う外皮５３から構成される。同軸ケーブル４６は、回路基板４１の近傍で外皮５３の一部が除去されるとともに、信号線５０及び編組線５２が引き出される。
【００２８】
図５に戻って、信号線５０は、編組線５２よりも弛ませた状態で、回路基板４１の入出力端子４４にハンダ付けされる。編組線５２は、それを構成する編組された複数の線が束ねられて、見かけ上一本の太線にした状態で、アース端子４５にハンダ付けされる。
【００２９】
図７に示すように、信号線５０の弛みは、同軸ケーブル４６から引き出されて、同軸ケーブル４６の外皮５３から外部に露呈される長さ（外部露呈長さ）Ｌ１を、編組線５２の外部露呈長さＬ２よりも長くする（Ｌ１＞Ｌ２）ことにより設けられる。信号線５０と編組線５２の外部露呈長さＬ１、Ｌ２の差は、０．５ｍｍ以上であることが好ましい。このように、信号線５０の外部露呈長さが編組線５２よりも長く、信号線５０に弛みがあれば、多芯ケーブル２８が挿入部１３の基端側に引っ張られたときに各同軸ケーブル４６にかかる負荷は、外部露呈長さが短い編組線５２が担うことになる。信号線５０に対しては、その負荷が掛からないか、あるいは、掛かったとしても僅かであるので、信号線５０の断線や信号線５０のハンダ付け箇所の剥離を防止することができる。
【００３０】
一方、同軸ケーブル４６の引っ張り力を担う編組線５２は、複数の線が束ねられているため、引っ張りに対する耐久性が高く断線するおそれがない。また、編組線５２は、同様の理由から、ハンダとの接触面積も多いため、ハンダとの接続強度が高く、ハンダ付け箇所から剥離することもない。
【００３１】
また、図５に示すように、回路基板４１には、信号線５０が接続される入出力端子４４と同数のアース端子４５が設けられており、両者は交互に配置されている。そして、各アース端子４５には、各同軸ケーブル４６から引き出された編組線５２が１本ずつ接続される。
【００３２】
各同軸ケーブル４６から引き出される信号線５０は、隣接する同軸ケーブル４６の信号線５０と交差させることで、最短距離にある入出力端子４４よりも遠い入出力端子４４に接続されている。これは、信号線５０の曲率を小さくするための工夫である。
【００３３】
すなわち、図８（Ａ）に示すように、信号線５０を交差させずに、最短距離にある入出力端子４４に信号線５０を接続した場合と比較して、図８（Ｂ）に示すように、信号線５０を交差させて、最短距離よりも遠い入出力端子４４に接続する方が、信号線５０に同じ弛み量Ｓを持たせた場合の曲率が小さくなる。ここで、弛み量Ｓは、同軸ケーブル４６が引き出される信号線５０の基端と入出力端子４４までの直線距離Ｄ１、Ｄ２を弦、弛みを持たせた信号線５０を弧としたときに、弧から弦に降ろした垂線の最大長とする。弛み量Ｓが同じであれば、弦が長いほど、弧の曲率は小さくなる。信号線５０を交差させると、その直線距離Ｄ２は、交差させない場合の直線距離Ｄ１よりも長いので、信号線５０の曲率は小さくなる。
【００３４】
信号線５０の曲率が大きすぎると、信号線５０が折れ曲がって塑性変形し元の状態に戻らなくなるという、いわゆるキンクが発生する可能性が高まる。信号線５０を交差させることにより、弛みを持たせた信号線５０の曲率が抑えられるので、キンクの発生が防止される。
【００３５】
もちろん、信号線５０を交差させなくとも、入出力端子４４とアース端子４５の間隔を大きくとれば、直線距離Ｄを長くとることができるので、曲率を抑えることはできる。しかし、入出力端子４４とアース端子４５の間隔を大きくとると、回路基板４１の大型化につながる。本例のように、信号線５０を交差させれば、回路基板４１を大型化することなく、信号線５０の曲率を抑えることができる。
【００３６】
なお、本例においては、各信号線５０を、隣接する同軸ケーブル４６の信号線５０と交差させているが、隣接する同軸ケーブル４６ではなく、そのさらに隣の同軸ケーブル４６の信号線５０と交差させてもよい。
【００３７】
図５に戻って、回路基板４１のうち入出力端子４４とアース端子４５のすべてを含む端子部分、多芯ケーブル２８のうち信号線５０及び編組線５２がむき出しになっている素線部分、多芯ケーブル２８の外皮４７から露呈した信号線５０及び編組線５２の露呈部分、及び多芯ケーブル２８の先端部分は、接着剤６０によって固定（一体化）されている。なお、接着剤６０の塗布範囲は、図中ドットで示されている。また、図４では、煩雑を避けるため接着剤６０を図示していない。
【００３８】
接着剤としては、例えば紫外線（ＵＶ）硬化型接着剤を用いることができる。信号線５０及び編組線５２を入出力端子４４とアース端子４５に接続（ハンダ付け）した後、接着剤供給器（図示せず）等を用いて接着剤６０を前述の範囲に供給する。その後、紫外線ランプ（図示せず）等を用いて接着剤６０上に紫外線を照射することにより、接着剤６０を硬化させる。
【００３９】
このように、信号線５０及び編組線５２が、入出力端子４４とアース端子４５へのハンダ付け部分を含む回路基板４１の一部分に接着剤６０によって一体化されるので、それ自体では強度の弱い信号線５０及びそのハンダ付け部分に、引張負荷、圧縮負荷や捻り負荷に対して十分耐えることのできる強度を与えることができる。
【００４０】
上記構成の作用について説明する。内視鏡システム２で検査を行う際には、電子内視鏡１０のコネクタ１６をプロセッサ装置１１及び光源装置１２に差し込み、プロセッサ装置１１と光源装置１２とを接続した状態でプロセッサ装置１１及び光源装置１２の電源スイッチ、及び光源の点灯スイッチをそれぞれオンする。電源スイッチがオンされると、プロセッサ装置１１、光源装置１２の各部に電力が供給されるとともに、プロセッサ装置１１から電子内視鏡１０へ電力が供給され、ＣＣＤ３８が起動する。
【００４１】
光源装置１２の光源が点灯するとともに、ＣＣＤ３８が起動して体腔内の撮像が開始されて検査が行われているとき、観察方向を変える場合には、術者は、アングルノブ１８を操作することにより湾曲部１３ｂを湾曲させて可撓管部１３ｃに対する先端部１３ａの角度を変える。
【００４２】
湾曲部１３ｂが様々な形状に湾曲することによって、同軸ケーブル４６の信号線５０及び編組線５２は、先端部１３ａの軸方向及び径方向にそれぞれ引っ張られたり、押されたり、捩られたりする。しかし、信号線５０及びそのハンダ付け部分は、編組線５２及びそのハンダ付け箇所や、回路基板４１の一部分とともに接着剤６０によって一体化されているため、これらの負荷が部分的に信号線５０に加わることはない。また、この一体化部分はこれらの負荷に対して十分な耐性を備えている。したがって、信号線５０の断線やハンダ付け箇所の剥離が防止される。
【００４３】
さらに、信号線５０は編組線５２に対して弛ませるようにして回路基板４１に接続されているため、仮に引っ張りや捩りを受けたときの負荷が同軸ケーブル４６に部分的にかかったとしても、その負荷は主に線自体の強度及び接続強度の高い編組線５２に掛かり、信号線５０には全く、あるいはほとんど掛からない。この構造により、比較的線自体の強度及び接続強度の低い信号線５０を、断線や剥離からさらに保護することができる。このように、信号線５０の断線、及びハンダ付け箇所の剥離を防止するために二重の対策が施されているため、確実にこの問題を防止することができる。
【００４４】
上記第１実施形態では、回路基板４１と同軸ケーブル４６を配線した後、これらの部材の周縁に直接接着剤６０を供給しているが、図９に示すように、接着剤の塗布領域を決めるための枠体７０を設け、枠体７０内に接着剤６０を注入することにより、回路基板４１と同軸ケーブル４６とを固定するようにしてもよい。
【００４５】
枠体７０は、図９と図１０（Ａ）に例示する円柱（径方向断面円）状に限らず、例えば、図１０（Ｂ）角柱状、（Ｃ）Ｕ字状等の径方向断面形状をとることができる。枠体７０の材質としては、樹脂、金属のいずれでもよい。なお、図９における枠体７０は実際には円柱状であるが、説明のためにこの円柱を軸方向に切断した断面図を示している。
【００４６】
信号線５０及び編組線５２を入出力端子４４とアース端子４５に接続（ハンダ付け）した後、枠体７０を、その枠内に回路基板４１のうち入出力端子４４とアース端子４５のすべてを含む端子部分、多芯ケーブル２８のうち信号線５０及び編組線５２がむき出しになっている素線部分、多芯ケーブル２８の外皮４７から露呈した信号線５０及び編組線５２の露呈部分、及び多芯ケーブル２８の先端部分が収まるように位置決めする。枠体７０の位置決め後、接着剤供給器等を用いて接着剤６０を枠体７０内に供給する。
【００４７】
枠体７０を使用することにより、接着剤６０の塗布範囲（スペース）を正確に位置決めできる。これにより、接着剤６０の塗布体積が不用意に大きくなって先端部１３ａのスペース効率が悪化したり、意図しない部分に接着剤６０が付着してしまうといった不具合を防止でき、かつ任意の形状で意図する部分の一体化を達成することができるので、スペース効率も向上できる。さらに、強度の高い枠体７０を使用すれば、接着剤６０による一体化部分をさらに強固なものとし、信号線５０の断線やハンダ付け箇所の剥離をより強力に防止することもできる。
【００４８】
枠体７０として金属を用いた場合は、枠体７０をアースに接続すれば、信号線５０にノイズが乗ることを防ぐ電磁シールドとして機能させることができる。一方、枠体７０として樹脂を用いた場合は、成型の自由度があることを利用して、周囲の内蔵物との干渉を避けるように形成したり、余計な部分を削ぎ落としたりすることができ、作業効率、スペース効率の向上に寄与することができる。
【００４９】
なお、枠体７０を接着剤受け治具として使用して接着剤６０の塗布範囲を規定し、接着剤６０が硬化した後は、枠体７０を取り外す構成としてもよい。位置決めに使用した枠体７０を取り外すことにより、回路基板４１の幅方向（ケーブルの径方向）におけるスペース効率をさらに向上させることができる。なお、枠体７０を治具として使用する場合は、枠体７０の内面を平滑化する等して、接着剤６０で接着されないようにすることが好ましい。治具についても枠体７０と同様、様々な形状、材質のものを使用することができる。
【００５０】
上記実施形態では、接着剤６０としてＵＶ硬化型接着剤を例に挙げている。作業性の観点から、ＵＶ硬化型接着剤の使用は好ましいが、接着剤の種類はこれに限定される訳ではない。なお、材質の観点からは、アクリル系またはエポキシ系の接着剤を用いることが好ましい。また、枠体７０を用いる上記第２実施形態では、ハンダ付け後に枠体７０の位置決めを行っているが、例えばＵ字状の枠体等、配線を行うための十分な開口がある治具を使用する場合には、ハンダ付けの前に枠体７０の位置決めを行ってもよい。
【００５１】
接着剤６０で一体化する箇所は、少なくとも回路基板４１のうち入出力端子４４とアース端子４５のすべてを含む端子部分、及び多芯ケーブル２８のうち信号線５０及び編組線５２がむき出しになっている素線部分であればよい。
【００５２】
上記実施形態では、本発明を説明するために電子内視鏡１０を例示しているが、本発明はこれに限らず、超音波トランスデューサが先端部に一体化された超音波内視鏡等、他の形態の内視鏡にも適用することができる。さらに、本発明の撮像装置は、回路基板に信号ケーブルが接続されるものであれば、内視鏡以外にも適用可能である。
【図面の簡単な説明】
【００５３】
【図１】内視鏡システムの外観図である。
【図２】可撓管部の内部を示す断面図である。
【図３】先端部の端面を示す平面図である。
【図４】先端部の内部を側面から視た断面図である。
【図５】ＣＣＤ及び回路基板周辺の構成を示す平面図である。
【図６】同軸ケーブルの内部を示す断面図である。
【図７】信号線及び編組線の長さを示す平面図である。
【図８】信号線及び編組線の弛み量を示す平面図である。
【図９】第２実施形態を適用したＣＣＤ及び回路基板周辺の構成を示す平面図である。
【図１０】枠体の径方向断面を示す断面図である。
【符号の説明】
【００５４】
２  内視鏡システム
１０  電子内視鏡
１３ａ  先端部
２８  多芯ケーブル
３８  ＣＣＤ
４１  回路基板
４４  入出力端子
４５  アース端子
４６  同軸ケーブル
５０  信号線
５２  編組線
６０  接着剤
７０  枠体
【図１】
2010068930.tif 000003
【図２】
2010068930.tif 000004
【図３】
2010068930.tif 000005
【図４】
2010068930.tif 000006
【図５】
2010068930.tif 000007
【図６】
2010068930.tif 000008
【図７】
2010068930.tif 000009
【図８】
2010068930.tif 000010
【図９】
2010068930.tif 000011
【図１０】
2010068930.tif 000012